(57)【要約】【課題】従来よりも小型のプロジェクタを提供する。【解決手段】照明光学系１００と、色分離導光光学系２００と、反射型液晶パネル４００Ｒ，４００Ｇ，４００Ｂと、クロスダイクロイックプリズム５００と、投写光学系６００とを備えるプロジェクタ１０００。色分離導光光学系２００は、クロスダイクロイックミラー２１０と、ダイクロイックミラー２３０と、偏光ビームスプリッタ２４０，２５０，２７０と、クロスダイクロイックミラー２１０と偏光ビームスプリッタ２７０との間に配置される反射ミラー２６０と、クロスダイクロイックミラー２１０とダイクロイックミラー２３０との間に配置される反射ミラー２２０とを有する。反射ミラー２６０の反射面は、クロスダイクロイックミラー２１０から遠い方の外縁部が青色光成分を含む光の光束内に位置している。【選択図】図１
2009217217.tif 000002
【特許請求の範囲】
【請求項１】
照明光束を射出する照明光学系と、
前記照明光学系からの照明光束を第１の色光、第２の色光及び第３の色光の３つの色光に分離して被照明領域に導光する色分離導光光学系と、
前記色分離導光光学系で分離された前記第１〜第３の色光の光路のそれぞれに配置され、前記色分離導光光学系で分離された各色光を画像情報に応じて変調する３つの反射型液晶パネルと、
前記３つの反射型液晶パネルによって変調された色光を合成する色合成光学系と、
前記色合成光学系によって合成された光を投写する投写光学系とを備え、
前記色分離導光光学系は、
２つの色分離面によって前記照明光学系からの光を前記第１の色光成分を含む光とその他の色光成分を含む光とに分離する第１の色分離素子と、
前記第１の色分離素子で色分離された前記第１の色光成分を含む光の光路に配置され、前記第１の色光成分を含む光のうち一方の偏光成分を含む光を透過し他方の偏光成分を含む光を反射する第１の偏光分離素子と、
前記第１の色分離素子と前記第１の偏光分離素子との間に配置され、前記第１の色分離素子で色分離された前記第１の色光成分を含む光を前記第１の偏光分離素子に向けて反射する第１の反射手段と、
前記第１の色分離素子で色分離された前記他の色光成分を含む光の光路に配置され、前記他の色光成分を含む光を前記第２の色光成分を含む光と前記第３の色光成分を含む光とに色分離する第２の色分離素子と、
前記第２の色分離素子で色分離された前記第２の色光成分を含む光の光路に配置され、前記第２の色光成分を含む光のうち一方の偏光成分を含む光を透過し他方の偏光成分を含む光を反射する第２の偏光分離素子と、
前記第２の色分離素子で色分離された前記第３の色光成分を含む光の光路に配置され、前記第３の色光成分を含む光のうち一方の偏光成分を含む光を透過し他方の偏光成分を含む光を反射する第３の偏光分離素子と、
前記第１の色分離素子と前記第２の色分離素子との間に配置され、前記第１の色分離素子で色分離された前記他の色光成分を含む光を前記第２の色分離素子に向けて反射する第２の反射手段とを有し、
前記第１の反射手段の反射面は、前記第１の色分離素子から遠い方の外縁部が前記第１の色光成分を含む光の光束内に位置することを特徴とするプロジェクタ。
【請求項２】
請求項１に記載のプロジェクタにおいて、
前記色分離導光光学系は、前記２つの色分離面の両面と直交関係にある仮想平面が鉛直面に沿うように配置されていることを特徴とするプロジェクタ。
【請求項３】
請求項１又は２に記載のプロジェクタにおいて、
前記３つの色光は、赤色光と緑色光と青色光であり、
前記第１の色光は、赤色光又は青色光であることを特徴とするプロジェクタ。
【発明の詳細な説明】
【技術分野】
【０００１】
本発明は、プロジェクタに関する。
【背景技術】
【０００２】
従来、照明光学系と、照明光学系からの光を複数の色光に分離して被照明領域に導光する色分離導光光学系と、色分離導光光学系で分離された各色光の光路のそれぞれに配置される３つの反射型液晶パネルと、３つの反射型液晶パネルによって変調された色光を合成する色合成光学系（クロスダイクロイックプリズム）とを備えるプロジェクタが知られている（例えば、特許文献１参照。）。
【０００３】
【特許文献１】特開平１０−２６８２３５号公報
【発明の開示】
【発明が解決しようとする課題】
【０００４】
ところで、近年、プロジェクタの小型化を図りたいという要望がある。
【０００５】
そこで、本発明は、このような事情に鑑みてなされたもので、従来よりも小型のプロジェクタを提供することを目的とする。
【課題を解決するための手段】
【０００６】
本発明のプロジェクタは、照明光束を射出する照明光学系と、前記照明光学系からの照明光束を第１の色光、第２の色光及び第３の色光の３つの色光に分離して被照明領域に導光する色分離導光光学系と、前記色分離導光光学系で分離された前記第１〜第３の色光の光路のそれぞれに配置され、前記色分離導光光学系で分離された各色光を画像情報に応じて変調する３つの反射型液晶パネルと、前記３つの反射型液晶パネルによって変調された色光を合成する色合成光学系と、前記色合成光学系によって合成された光を投写する投写光学系とを備え、前記色分離導光光学系は、２つの色分離面によって前記照明光学系からの光を前記第１の色光成分を含む光とその他の色光成分を含む光とに分離する第１の色分離素子と、前記第１の色分離素子で色分離された前記第１の色光成分を含む光の光路に配置され、前記第１の色光成分を含む光のうち一方の偏光成分を含む光を透過し他方の偏光成分を含む光を反射する第１の偏光分離素子と、前記第１の色分離素子と前記第１の偏光分離素子との間に配置され、前記第１の色分離素子で色分離された前記第１の色光成分を含む光を前記第１の偏光分離素子に向けて反射する第１の反射手段と、前記第１の色分離素子で色分離された前記他の色光成分を含む光の光路に配置され、前記他の色光成分を含む光を前記第２の色光成分を含む光と前記第３の色光成分を含む光とに色分離する第２の色分離素子と、前記第２の色分離素子で色分離された前記第２の色光成分を含む光の光路に配置され、前記第２の色光成分を含む光のうち一方の偏光成分を含む光を透過し他方の偏光成分を含む光を反射する第２の偏光分離素子と、前記第２の色分離素子で色分離された前記第３の色光成分を含む光の光路に配置され、前記第３の色光成分を含む光のうち一方の偏光成分を含む光を透過し他方の偏光成分を含む光を反射する第３の偏光分離素子と、前記第１の色分離素子と前記第２の色分離素子との間に配置され、前記第１の色分離素子で色分離された前記他の色光成分を含む光を前記第２の色分離素子に向けて反射する第２の反射手段とを有し、前記第１の反射手段の反射面は、前記第１の色分離素子から遠い方の外縁部が前記第１の色光成分を含む光の光束内に位置することを特徴とする。
【０００７】
ところで、プロジェクタの大きさを決める基準の１つとして、第１の反射手段の端面のうち第１の色分離素子から遠い方の端面の位置から、第２の反射手段の端面のうち第１の色分離素子から遠い方の端面の位置までの長さがある。
本発明のプロジェクタによれば、第１の反射手段の反射面は、第１の色分離素子から遠い方の外縁部が第１の色光成分を含む光の光束内に位置するように構成されている。言い換えれば、第１の反射手段の端面のうち第１の色分離素子から遠い方の端面の一部が削除されているため、上記の長さを従来よりも短くすることができる。その結果、従来よりも小型のプロジェクタを実現することが可能となる。
【０００８】
また、本発明のプロジェクタにおいては、２つある反射手段（第１の反射手段及び第２の反射手段）のうち第１の反射手段の一部の端面が削除されている。第１の反射手段は、３つの色光のうち主に１つの色光（第１の色光）を反射して反射型液晶パネルに導くものであるのに対し、第２の反射手段は、３つの色光のうち主に２つの色光（第２の色光及び第３の色光）を反射して反射型液晶パネルに導くものであることから、本発明のプロジェクタによれば、第２の反射手段の一部の端面が削除されている場合に比べて、反射手段の端面を削除したことに起因する投写画像の明るさの低下を極力抑制することが可能となる。
【０００９】
本発明のプロジェクタにおいては、前記色分離導光光学系は、前記２つの色分離面の両面と直交関係にある仮想平面が鉛直面に沿うように配置されていることが好ましい。
【００１０】
プロジェクタを小型化するという点において、プロジェクタの横幅（水平方向に沿った長さ）を短くすることよりもプロジェクタの高さを低くすることの方が、要望として強いというのが実情であるが、上記のように構成することにより、プロジェクタの高さを従来よりも低くすることが可能となる。
【００１１】
本発明のプロジェクタにおいては、前記３つの色光は、赤色光と緑色光と青色光であり、前記第１の色光は、赤色光又は青色光であることが好ましい。
【００１２】
ところで、人間の目には視感度と呼ばれる光の波長に対する感度があり、同じ光エネルギーであっても色によって明るさが異なって見えるという特徴がある。人間の目に最も明るく感じる色光は緑色光であるため、上記のように構成することにより、第１の色光が緑色光である場合に比べて、反射手段の端面を削除したことに起因する投写画像の明るさの低下を極力抑制することが可能となる。
【発明を実施するための最良の形態】
【００１３】
以下、本発明のプロジェクタについて、図に示す実施の形態に基づいて説明する。
【００１４】
［実施形態１］
実施形態１は、仮想平面ＶＰ（後述する。）が水平面に沿うように、色分離導光光学系が配置されている場合を説明するための実施形態である。
【００１５】
まず、実施形態１に係るプロジェクタの構成について、図１〜図３を用いて説明する。
図１は、実施形態１に係るプロジェクタ１０００の光学系の斜視図である。図２は、実施形態１に係るプロジェクタ１０００の光学系の上面図である。図３は、仮想平面ＶＰを説明するために示す図である。なお、図１及び図２において、反射ミラー２６０における端面２６４の削除されている部分を破線で図示している。
【００１６】
以下の説明においては、互いに直交する３つの方向をそれぞれｙ方向（クロスダイクロイックプリズム５００から射出される光の中心軸に沿った方向）、ｘ方向（ｙ方向と直交関係にある水平方向）及びｚ方向（ｙ方向と直交関係にある鉛直方向）とする。
【００１７】
実施形態１に係るプロジェクタ１０００は、図１及び図２に示すように、照明光束を射出する照明光学系１００と、照明光学系１００からの照明光束を青色光（第１の色光）、緑色光（第２の色光）及び赤色光（第３の色光）の３つの色光に分離して被照明領域に導光する色分離導光光学系２００と、色分離導光光学系２００で分離された３つの色光のそれぞれを画像情報に応じて変調する３つの反射型液晶パネル４００Ｂ，４００Ｇ，４００Ｒと、３つの反射型液晶パネル４００Ｂ，４００Ｇ，４００Ｒによって変調された色光を合成する色合成光学系としてのクロスダイクロイックプリズム５００と、クロスダイクロイックプリズム５００によって合成された光をスクリーンＳＣＲ等の投写面に投写する投写光学系６００とを備えるプロジェクタである。
【００１８】
照明光学系１００は、被照明領域側に照明光束を射出する光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、第２レンズアレイ１３０からの各部分光束を偏光方向の揃った略１種類の直線偏光に変換して射出する偏光変換素子１４０と、偏光変換素子１４０から射出される各部分光束を被照明領域で重畳させるための重畳レンズ１５０とを有する。
【００１９】
光源装置１１０は、楕円面リフレクタ１１４と、楕円面リフレクタ１０の第１焦点近傍に発光中心を有する発光管１１２と、発光管１１２から被照明領域側に向けて射出される光を発光管１１２に向けて反射する副鏡１１６と、楕円面リフレクタ１１４からの集束光を略平行光として射出する凹レンズ１１８とを有する。光源装置１１０は、照明光軸１００ａｘを中心軸とする光束を射出する。
【００２０】
発光管１１２は、管球部と、管球部の両側に延びる一対の封止部とを有する。管球部は、球状に形成されており、石英ガラス製であって、この管球部内に配置された一対の電極と、管球部内に封入された水銀、希ガス及び少量のハロゲンとを有する。発光管１１２としては、種々の発光管を採用でき、例えば、メタルハライドランプ、高圧水銀ランプ、超高圧水銀ランプ等を採用できる。
【００２１】
楕円面リフレクタ１１４は、発光管１１２の一方の封止部に挿通・固着される筒状の首状固定部と、発光管１１２から放射された光を第２焦点位置に向けて反射する反射凹面とを有する。
【００２２】
副鏡１１６は、発光管１１２の管球部の略半分を覆い、楕円面リフレクタ１１４の反射凹面と対向して配置される反射手段である。副鏡１１６は、発光管１１２の他方の封止部に挿通・固着されている。副鏡１１６は、発光管１１２から放射された光のうち楕円面リフレクタ１１４に向かわない光を発光管１１２に戻し楕円面リフレクタ１１４に入射させる。
【００２３】
凹レンズ１１８は、楕円面リフレクタ１１４の被照明領域側に配置され、楕円面リフレクタ１１４からの光を第１レンズアレイ１２０に向けて射出するように構成されている。
【００２４】
第１レンズアレイ１２０は、凹レンズ１１８からの光を複数の部分光束に分割する光束分割光学素子としての機能を有し、複数の第１小レンズ１２２が照明光軸１００ａｘと直交する面内に複数行・複数列のマトリクス状に配列された構成を有する。図示による説明は省略するが、第１小レンズ１２２の外形形状は、反射型液晶パネル４００Ｒ，４００Ｇ，４００Ｂの画像形成領域の外形形状に関して相似形である。
【００２５】
第２レンズアレイ１３０は、重畳レンズ１５０とともに、第１レンズアレイ１２０の各第１小レンズ１２２の像を反射型液晶パネル４００Ｂ，４００Ｇ，４００Ｒの画像形成領域近傍に結像させる機能を有する。第２レンズアレイ１３０は、第１レンズアレイ１２０と略同様な構成を有し、複数の第２小レンズ１３２が照明光軸１００ａｘに直交する面内に複数行・複数列のマトリクス状に配列された構成を有する。
【００２６】
偏光変換素子１４０は、第１レンズアレイ１２０により分割された各部分光束の偏光方向を、偏光方向の揃った略１種類の直線偏光として射出する偏光変換素子である。
偏光変換素子１４０は、光源装置１１０からの照明光束のうち一方の偏光成分（例えばＰ偏光成分）を含む光を透過し他方の偏光成分（例えばＳ偏光成分）を含む光を照明光軸１００ａｘに垂直な方向に反射する偏光分離層と、偏光分離層で反射された他方の偏光成分を含む光を照明光軸１００ａｘに平行な方向に反射する反射層と、偏光分離層を透過した一方の偏光成分を含む光を他方の偏光成分を含む光に変換する位相差板とを有する。
【００２７】
重畳レンズ１５０は、第１レンズアレイ１２０、第２レンズアレイ１３０及び偏光変換素子１４０を経た複数の部分光束を集光して反射型液晶パネル４００Ｒ，４００Ｇ，４００Ｂの画像形成領域近傍に重畳させるための光学素子である。重畳レンズ１５０は、重畳レンズ１５０の光軸と照明光学系１００の照明光軸１００ａｘとが略一致するように配置されている。なお、重畳レンズ１５０は、複数のレンズを組み合わせた複合レンズで構成されていてもよい。
【００２８】
色分離導光光学系２００は、第１の色分離素子としてのクロスダイクロイックミラー２１０と、第１の反射手段としての反射ミラー２６０と、第２の反射手段としての反射ミラー２２０と、第２の色分離素子としてのダイクロイックミラー２３０と、第１〜第３の偏光分離素子としての偏光ビームスプリッタ２４０，２５０，２７０とを有する。色分離導光光学系２００は、重畳レンズ１５０から射出される光（照明光学系１００から射出される照明光束）を、青色光（第１の色光）、緑色光（第２の色光）及び赤色光（第３の色光）の３つの色光に分離して、それぞれの色光を照明対象となる３つの反射型液晶パネル４００Ｂ，４００Ｇ，４００Ｒに導く機能を有する。
【００２９】
クロスダイクロイックミラー２１０は、青色光成分を含む光を反射し他の色光成分（赤色光成分及び緑色光成分）を含む光を透過する色分離面２１２と、青色光成分以外の色光成分（赤色光成分及び緑色光成分）を含む光を反射し青色光成分を含む光を透過する色分離面２１４とを有する。これら２つの色分離面２１２，２１４は、互いに直交するように配置されている。
【００３０】
重畳レンズ１５０から射出される光（照明光学系１００から射出される照明光束）は、クロスダイクロイックミラー２１０の２つの色分離面２１２，２１４によって、青色光成分を含む光と他の色光成分（赤色光成分及び緑色光成分）を含む光とに分離された後、反射ミラー２６０，２２０に向けてそれぞれ射出される。
【００３１】
ここで、クロスダイクロイックミラー２１０における２つの色分離面２１２，２１４の両面と直交関係にある平面を「仮想平面ＶＰ」としたとき、実施形態１に係るプロジェクタ１０００においては、図３に示すように、仮想平面ＶＰは水平面（ｘ−ｙ平面）に沿った面となる。言い換えれば、色分離導光光学系２００は、仮想平面ＶＰが水平面（ｘ−ｙ平面）に沿うように配置されている。
なお、「仮想平面ＶＰ」を別の言葉で定義すると、「仮想平面ＶＰ」とは、照明光学系１００から射出される光の中心軸Ａ１００と色分離面２１２，２１４によって色分離された光の中心軸Ａ２１２，Ａ２１４とを含む平面のことである。
【００３２】
反射ミラー２６０は、クロスダイクロイックミラー２１０と偏光ビームスプリッタ（第１の偏光分離素子）２７０との間に配置され、クロスダイクロイックミラー２１０で色分離された青色光成分を含む光を偏光ビームスプリッタ２７０に向けて反射する。
なお、詳細については後述するが、反射ミラー２６０は、反射ミラー２６０の端面のうちクロスダイクロイックミラー２１０から遠い方の端面２６４の一部が削除されている（図１、図２及び後述する図５（ａ）参照。削除された部分を破線で図示している。）。
【００３３】
反射ミラー２６０で反射された青色光成分を含む光は、集光レンズ３００Ｂを介して偏光ビームスプリッタ２７０に入射する。このとき、照明光学系１００からの照明光束は偏光変換素子１４０によって偏光方向の揃った略１種類の直線偏光に揃えられていることから、集光レンズ３００Ｂを通過した光は、偏光ビームスプリッタ２７０を通過して青色光用の反射型液晶パネル４００Ｂに入射する。集光レンズ３００Ｂは、照明光学系１００からの各部分光束を各主光線に対して略平行な光束に変換するために設けられている。なお、他の集光レンズ３００Ｒ，３００Ｇも、集光レンズ３００Ｂと同様に構成されている。
【００３４】
偏光ビームスプリッタ２７０は、プレートタイプの偏光ビームスプリッタであって、透光性の基板に偏光分離膜を設けた構成からなる。偏光ビームスプリッタ２７０は、一方の偏光成分を含む光を反射し他方の偏光成分を含む光を透過する機能を有する。なお、偏光ビームスプリッタ（第２の偏光分離素子）２５０及び偏光ビームスプリッタ（第３の偏光分離素子）２４０も、偏光ビームスプリッタ２７０と同様に構成されている。
【００３５】
青色光用の反射型液晶パネル４００Ｂで反射された光は、偏光ビームスプリッタ２７０に到達する。このとき、反射型液晶パネル４００Ｂで変調されることで偏光方向が回転した光は、偏光ビームスプリッタ２７０で反射され、クロスダイクロイックプリズム５００に到達する。一方、反射型液晶パネル４００Ｂで変調されずに偏光方向が回転しなかった光は、偏光ビームスプリッタ２７０をそのまま通過する。つまり、当該光は、クロスダイクロイックプリズム５００には到達しない。
【００３６】
反射ミラー２２０は、クロスダイクロイックミラー２１０とダイクロイックミラー２３０との間に配置され、クロスダイクロイックミラー２１０で色分離された他の色光成分（赤色光成分及び緑色光成分）を含む光をダイクロイックミラー２３０に向けて反射する。
【００３７】
ダイクロイックミラー２３０は、所定の波長領域の光束を反射し他の波長領域の光束を透過する波長選択膜が基板上に形成された光学素子である。ダイクロイックミラー２３０は、緑色光成分を含む光を反射し赤色光成分を含む光を透過するミラーである。
【００３８】
反射ミラー２２０で反射された他の色光成分（赤色光成分及び緑色光成分）を含む光は、ダイクロイックミラー２３０によって、緑色光成分を含む光と赤色光成分を含む光とに分離された後、偏光ビームスプリッタ２５０，２４０に向けてそれぞれ射出される。
【００３９】
ダイクロイックミラー２３０で反射された緑色光成分を含む光は、集光レンズ３００Ｇ及び偏光ビームスプリッタ２５０を通過して、緑色光用の反射型液晶パネル４００Ｇに入射する。一方、ダイクロイックミラー２３０を透過した赤色光成分を含む光は、集光レンズ３００Ｒ及び偏光ビームスプリッタ２４０を通過して、赤色光用の反射型液晶パネル４００Ｒに入射する。
【００４０】
反射型液晶パネル４００Ｂ，４００Ｇ，４００Ｒは、画像情報に応じて照明光束を変調するものであり、照明光学系１００の照明対象となる。反射型液晶パネル４００Ｂ，４００Ｇ，４００Ｒは、画像形成領域のアスペクト比が１６：９のワイドビジョン用の反射型液晶パネルであって、ここでは図示による説明を省略するが、透明電極を有する透明基板と、画素電極を有する駆動回路基板と、透明基板と駆動回路基板との間に密閉封入された液晶層と、透明電極と液晶層との間及び液晶層と画素電極との間にそれぞれ配置される配向膜とを有する。
【００４１】
反射型液晶パネル４００Ｂ，４００Ｇ，４００Ｒには、放熱フィン４１０Ｂ，４１０Ｇ，４１０Ｒが配設されている。
【００４２】
クロスダイクロイックプリズム５００の前段には、偏光板４２０Ｂ，４２０Ｇ，４２０Ｒが配置されている。
【００４３】
クロスダイクロイックプリズム５００は、偏光板４２０Ｂ，４２０Ｇ，４２０Ｒから射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、青色光を反射するものであり、他方の界面に形成された誘電体多層膜は、赤色光を反射するものである。これらの誘電体多層膜によって青色光及び赤色光は曲折され、緑色光の進行方向と揃えられることにより、３つの色光が合成され、当該合成光が投写光学系６００に向けて射出される。
【００４４】
クロスダイクロイックプリズム５００から射出されたカラー画像は、投写光学系６００によって拡大投写され、スクリーンＳＣＲ上で大画面画像を形成する。
【００４５】
次に、実施形態１に係るプロジェクタ１０００をさらに詳細に説明するために、実施形態１の比較例に係るプロジェクタ１０００ａを説明する。
【００４６】
図４は、比較例に係るプロジェクタ１０００ａの光学系の上面図である。図５は、実施形態１に係るプロジェクタ１０００を説明するために示す図である。図５（ａ）は実施形態１に係るプロジェクタ１０００における、色分離導光光学系２００を照明光学系１００側から見た図であり、図５（ｂ）は比較例に係るプロジェクタ１０００ａにおける、色分離導光光学系２００ａを照明光学系１００側から見た図である。
なお、図４において、図２と同一の部材については同一の符号を付し、詳細な説明は省略する。
【００４７】
図５（ａ）及び図５（ｂ）に示す反射ミラー２２０の上下左右の端面２２２〜２２８について、端面２２４は、反射ミラー２２０の横側端面のうちクロスダイクロイックミラー２１０から遠い方の端面のことであり、端面２２８は、反射ミラー２２０の横側端面のうちクロスダイクロイックミラー２１０から近い方の端面のことである。また、端面２２２は、反射ミラー２２０の上側端面のことであり、端面２２６は、反射ミラー２２０の下側端面のことである。
また、図５（ａ）及び図５（ｂ）に示す反射ミラー２６０，２６０ａの上下左右の端面２６２〜２６８，２６２ａ〜２６８ａについて、端面２６４，２６４ａは、反射ミラー２６０，２６０ａの横側端面のうちクロスダイクロイックミラー２１０から遠い方の端面のことであり、端面２６８，２６８ａは、反射ミラー２６０，２６０ａの横側端面のうちクロスダイクロイックミラー２１０から近い方の端面のことである。また、端面２６２，２６２ａは、反射ミラー２６０，２６０ａの上側端面のことであり、端面２６６，２６６ａは、反射ミラー２６０，２６０ａの下側端面のことである。
【００４８】
比較例に係るプロジェクタ１０００ａは、基本的には実施形態１に係るプロジェクタ１０００とよく似た構成を有するが、第１の反射手段の端面が削除されていない点（言い換えれば、第１の反射手段の反射面が、第１の色分離素子から遠い方の外縁部が第１の色光成分を含む光の光束内に位置していない点）で、実施形態１に係るプロジェクタ１０００とは異なる。
【００４９】
すなわち、比較例に係るプロジェクタ１０００ａにおいては、図４及び図５に示すように、第１の反射手段としての反射ミラー２６０ａにおける端面２６４ａが削除されていない。言い換えれば、反射ミラー２６０ａの反射面は、クロスダイクロイックミラー２１０から遠い方の外縁部が青色光成分を含む光の光束内に位置していない。このため、図５（ｂ）に示すように、反射ミラー２６０ａの端面２６４ａの位置から反射ミラー２２０の端面２２４の位置までの長さＤａは、それほど短くはならない。
【００５０】
これに対し、実施形態１に係るプロジェクタ１０００によれば、反射ミラー２６０の端面のうちクロスダイクロイックミラー２１０から遠い方の端面２６４の一部が削除されている。言い換えれば、反射ミラー２６０の反射面は、クロスダイクロイックミラー２１０から遠い方の外縁部が青色光成分を含む光の光束内に位置している。なお、「反射ミラー２６０の端面２６４の一部が削除されている」とは、反射ミラー２６０を平面的に見たとき、端面２６８から端面２６４までの長さが、比較例の場合の反射ミラー２６０ａにおける端面２６８ａから端面２６４ａまでの長さよりも短いことを意味する。
実施形態１に係るプロジェクタ１０００によれば、上記のように構成されているため、図５（ａ）及び図５（ｂ）からも分かるように、反射ミラー２６０の端面２６４の位置から反射ミラー２２０の端面２２４の位置までの長さＤ１は、比較例の場合の長さＤａに比べて短くなる。その結果、従来よりも小型のプロジェクタを実現することが可能となる。
【００５１】
また、実施形態１に係るプロジェクタ１０００によれば、２つある反射ミラー２２０，２６０のうち反射ミラー２６０の一部の端面が削除されている。反射ミラー２６０は、３つの色光のうち主に１つの色光（青色光）を反射して反射型液晶パネル４００Ｇに導くものであるのに対し、反射ミラー２２０は、３つの色光のうち主に２つの色光（緑色光及び赤色光）を反射して反射型液晶パネル４００Ｇ，４００Ｒに導くものであることから、反射ミラー２２０の一部の端面が削除されている場合に比べて、反射ミラーの端面を削除したことに起因する投写画像の明るさの低下を極力抑制することが可能となる。
【００５２】
実施形態１に係るプロジェクタ１０００においては、第１の色光が青色光であるため、第１の色光が緑色光である場合に比べて、反射ミラーの端面を削除したことに起因する投写画像の明るさの低下を極力抑制することが可能となる。
【００５３】
ところで、仮に偏光ビームスプリッタ２７０や偏光ビームスプリッタ２４０の一部の端面を削除することによっても、プロジェクタの小型化を図ることは可能であるが、この場合、偏光ビームスプリッタ２７０，２４０は反射型液晶パネル４００Ｂ，４００Ｒに比較的近いことから、偏光ビームスプリッタ２７０，２４０の端面を削除したことに起因する投写画像の明るさの低下や照度むら（色むら）の影響が大きいという問題がある。
これに対し、実施形態１に係るプロジェクタ１０００によれば、反射型液晶パネルから離れた位置にある反射ミラー２６０の一部の端面を削除することとしているため、偏光ビームスプリッタの一部の端面が削除されている場合に比べて、投写画像の明るさの低下や照度むら（色むら）の影響を抑制することが可能となる。また、実施形態１に係るプロジェクタ１０００によれば、光均一化光学系として、第１レンズアレイ１２０及び第２レンズアレイ１３０を有するレンズインテグレータ光学系を用いていることから、反射ミラー２６０の一部の端面を削除したとしても、反射型液晶パネル４００Ｂの画像形成領域には面内光強度分布が比較的均一な光が照射されることとなり、結果として、反射ミラーの端面を削除したことに起因する投写画像の明るさの低下や照度むら（色むら）を極力抑制することが可能となる。
【００５４】
［実施形態２］
実施形態２は、仮想平面ＶＰが鉛直面に沿うように、色分離導光光学系が配置されている場合を説明するための実施形態である。
【００５５】
図６は、実施形態２に係るプロジェクタ１００２の光学系の斜視図である。図７は、実施形態２に係るプロジェクタ１００２の光学系の側面図（ｘ（＋）方向から見た図）である。図８は、仮想平面ＶＰを説明するために示す図である。
【００５６】
なお、図６〜図８において、図１〜図３と同一の部材については同一の符号を付し、詳細な説明は省略する。
【００５７】
実施形態２に係るプロジェクタ１００２は、基本的には実施形態１に係るプロジェクタ１０００と同様の構成を有するが、色分離導光光学系の配置構成が、実施形態１に係るプロジェクタ１０００とは異なる。
【００５８】
すなわち、実施形態２に係るプロジェクタ１００２においては、図６〜図８に示すように、色分離導光光学系２００は、仮想平面ＶＰが鉛直面（ｙ−ｚ平面）に沿うように配置されている。
【００５９】
なお、実施形態２に係るプロジェクタ１００２においては、仮想平面ＶＰが鉛直面（ｙ−ｚ平面）に沿うように色分離導光光学系２００を配置したのに伴い、反射型液晶パネル４００Ｂ，４００Ｇ，４００Ｒの配置構成を変更している。
【００６０】
具体的に説明すると、実施形態１に係るプロジェクタ１０００においては、図１から分かるように、反射型液晶パネル４００Ｂ，４００Ｇ，４００Ｒにおける画像形成領域の長辺方向がｘ方向又はｙ方向に沿い、短辺方向がｚ方向に沿うように配置されているのに対し、実施形態２に係るプロジェクタ１００２においては、図６から分かるように、反射型液晶パネル４００Ｂ，４００Ｇ，４００Ｒにおける画像形成領域の長辺方向がｘ方向に沿い、短辺方向がｙ方向又はｚ方向に沿うように、各画像形成領域の中心軸を回転軸として９０度回転させた状態で配置されている。これにより、プロジェクタ全体としての高さ（ｚ方向に沿ったプロジェクタの大きさ）をより低くすることができ、プロジェクタの薄型化を図ることが可能となる。
【００６１】
このように、実施形態２に係るプロジェクタ１００２は、実施形態１に係るプロジェクタ１０００とは、色分離導光光学系の配置構成及び反射型液晶パネルの配置構成が異なるが、実施形態１に係るプロジェクタ１０００の場合と同様に、反射ミラー２６０の端面のうちクロスダイクロイックミラー２１０から遠い方の端面２６４の一部が削除されているため、従来よりも小型のプロジェクタ（特にプロジェクタの高さが従来よりも低いプロジェクタ）を実現することが可能となる。
【００６２】
実施形態２に係るプロジェクタ１００２においては、色分離導光光学系２００は、仮想平面ＶＰが鉛直面（ｙ−ｚ平面）に沿うように配置されているため、プロジェクタの高さを従来よりも低くすることが可能となる。
【００６３】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【００６４】
上記各実施形態においては、第１の色光が青色光であり、第３の色光が赤色光である場合を例示して説明したが、本発明はこれに限定されるものではなく、第１の色光が赤色光であり、第３の色光が青色光であってもよい。
【００６５】
上記各実施形態においては、第１及び第２の反射手段が反射ミラーである場合を例示して説明したが、本発明はこれに限定されるものではなく、第１及び第２の反射手段のうち少なくとも一方が反射プリズムであってもよい。
【００６６】
上記実施形態１においては、画像形成領域の長辺方向がｘ方向又はｙ方向に沿うように、各反射型液晶パネルが配置された場合を例示して説明し、上記実施形態２においては、画像形成領域の長辺方向がｘ方向に沿うように、実施形態１の配置状態から画像形成領域の中心軸を回転軸として９０度回転させた状態で、各反射型液晶パネルが配置された場合を例示して説明したが、本発明はこれに限定されるものではない。実施形態１の配置状態から画像形成領域の中心軸を回転軸として、例えば４５度回転させた状態で、各反射型液晶パネルが配置されていてもよい。この場合、スクリーンに投写される投写画像が横長画像となるように、投写光学系の各光学要素が構成されていることが好ましい。
【００６７】
上記各実施形態においては、反射型液晶パネルとして、画像形成領域のアスペクト比が１６：９のワイドビジョン用の反射型液晶パネルを用いたが、本発明はこれに限定されるものではなく、画像形成領域のアスペクト比が４：３のいわゆるスタンダードタイプの反射型液晶パネルを用いてもよい。
【００６８】
上記各実施形態においては、光源装置として、楕円面リフレクタからなる光源装置を用いたが、本発明はこれに限定されるものではなく、放物面リフレクタからなる光源装置を用いることも好ましい。この場合には、凹レンズは備えていなくともよい。
【００６９】
上記各実施形態においては、発光管に副鏡が配設された場合を例示して説明したが、本発明はこれに限定されるものではなく、副鏡に代えて、管球部の外面に反射膜が形成されていてもよいし、副鏡が配設されていないプロジェクタに本発明を適用することも可能である。
【００７０】
上記各実施形態においては、光均一化光学系として、レンズアレイからなるレンズインテグレータ光学系を用いたが、本発明はこれに限定されるものではなく、ロッド部材からなるロッドインテグレータ光学系をも好ましく用いることができる。
【００７１】
上記各実施形態においては、色分離導光光学系における第１〜第３の偏光分離素子として、プレートタイプの偏光ビームスプリッタを用いたが、本発明はこれに限定されるものではなく、２つの三角柱プリズムが貼り合わされたプリズムタイプの偏光ビームスプリッタを用いてもよい。
【００７２】
本発明は、投写画像を観察する側から投写するフロント投写型プロジェクタに適用する場合にも、投写画像を観察する側とは反対の側から投写するリア投写型プロジェクタに適用する場合にも可能である。
【００７３】
本発明は、机上等に設置するタイプのプロジェクタ（据え置きタイプのプロジェクタ）に適用する場合にも、天井等に吊り下げるタイプのプロジェクタ（天吊りタイプのプロジェクタ）に適用する場合にも可能である。
【図面の簡単な説明】
【００７４】
【図１】実施形態１に係るプロジェクタ１０００の光学系の斜視図。
【図２】実施形態１に係るプロジェクタ１０００の光学系の上面図。
【図３】仮想平面ＶＰを説明するために示す図。
【図４】比較例に係るプロジェクタ１０００ａの光学系の上面図。
【図５】実施形態１に係るプロジェクタ１０００を説明するために示す図。
【図６】実施形態２に係るプロジェクタ１００２の光学系の斜視図。
【図７】実施形態２に係るプロジェクタ１００２の光学系の側面図。
【図８】仮想平面ＶＰを説明するために示す図。
【符号の説明】
【００７５】
１００…照明光学系、１００ａｘ…照明光軸、１１０…光源装置、１１２…発光管、１１４…楕円面リフレクタ、１１６…副鏡、１１８…凹レンズ、１２０…第１レンズアレイ、１２２…第１小レンズ、１３０…第２レンズアレイ、１３２…第２小レンズ、１４０…偏光変換素子、１５０…重畳レンズ、２００，２００ａ…色分離導光光学系、２１０…クロスダイクロイックミラー、２１２，２１４…色分離面、２２０，２６０…反射ミラー、２２２，２２４，２２６，２２８，２６２，２６４，２６６，２６８…反射ミラーの端面、２３０…ダイクロイックミラー、２４０，２５０，２７０…偏光ビームスプリッタ、３００Ｒ，３００Ｇ，３００Ｂ…集光レンズ、４００Ｒ，４００Ｇ，４００Ｂ…反射型液晶パネル、４１０Ｒ，４１０Ｇ，４１０Ｂ…放熱フィン、４２０Ｒ，４２０Ｇ，４２０Ｂ…偏光板、５００…クロスダイクロイックプリズム、６００…投写光学系、１０００，１０００ａ，１００２…プロジェクタ、Ａ１００…照明光学系から射出される光の中心軸、Ａ２１２，Ａ２１４…（クロスダイクロイックミラーの）色分離面によって色分離された光の中心軸、ＳＣＲ…スクリーン、ＶＰ…仮想平面
【図１】
2009217217.tif 000003
【図３】
2009217217.tif 000004
【図５】
2009217217.tif 000005
【図６】
2009217217.tif 000006
【図８】
2009217217.tif 000007
【図２】
2009217217.tif 000008
【図４】
2009217217.tif 000009
【図７】
2009217217.tif 000010